(57)【要約】【課題】ヘッドの過昇温を抑制するとともにスループット低下をできるだけ低減させる。【解決手段】本発明は、インクを吐出するための熱エネルギを発生するヒーターを有する記録ヘッドを走査させて記録を行う記録装置に関する。記録ヘッドの走査前に記録ヘッドの温度を検知し、検知された温度が閾値温度を超えた場合に、記録ヘッドを待機させる。記録ヘッドのヒーターの累積駆動回数に係る情報を取得し、この情報に基づいて、累積駆動回数が多いほど閾値温度を低い温度に変更する。【選択図】図３
2010162888.tif 000002
【特許請求の範囲】
【請求項１】
インクを吐出するための熱エネルギを発生するヒーターを有する記録ヘッドを走査させて記録を行う記録装置であって、
前記記録ヘッドの走査前に前記記録ヘッドの温度を検知する検知手段と、
前記検知手段により検知された前記温度が閾値温度を超えた場合に、前記記録ヘッドを待機させる待機手段と、
前記記録ヘッドのヒーターの累積駆動回数に係る情報を取得する取得手段と、
前記累積駆動回数に係る情報に基づいて、前記累積駆動回数が多いほど前記閾値温度を低い温度に変更する変更手段と、
を備えることを特徴とする記録装置。
【請求項２】
前記待機手段は、前記温度が閾値温度を超えた場合に、前記温度が高いほど前記記録ヘッドを待機させる時間を長く設定することを特徴とする請求項１に記載の記録装置。
【請求項３】
前記記録ヘッドの交換を検知する交換検知手段をさらに有し、前記取得手段は、前記記録ヘッドが交換されたことに応じて、前記累積駆動回数をリセットすることを特徴とする請求項１または２に記載の記録装置。
【請求項４】
前記取得手段は、前記温度が所定温度以上のときに前記ヒーターが駆動された回数に基づいて、前記累積駆動回数に係る情報を取得することを特徴とする請求項１から３のいずれかに記載の記録装置。
【請求項５】
前記取得手段は、所定領域の記録デューティが所定値以上のときに前記ヒーターが駆動された回数に基づいて、前記累積駆動回数に係る情報を取得することを特徴とする請求項１から４のいずれかに記載の記録装置。
【請求項６】
インクを吐出するための熱エネルギを発生するヒーターを有する記録ヘッドを走査させて記録を行う記録装置であって、
前記記録ヘッドの走査前に前記記録ヘッドの温度を検知する検知手段と、
前記検知手段により検知された前記温度が閾値温度を超えた場合に、前記記録ヘッドを待機させる待機手段と、
前記記録ヘッドが装着されてからの累積時間に係る情報を取得する取得手段と、
前記累積時間に係る情報に基づいて、前記累積時間が長いほど前記閾値温度を低い温度に変更する変更手段と、
を備えることを特徴とする記録装置。
【請求項７】
インクを吐出するための熱エネルギを発生するヒーターを有する記録ヘッドを走査させて記録を行う記録装置であって、
前記記録ヘッドの走査前に前記記録ヘッドの温度を検知する検知手段と、
前記検知手段により検知された前記温度が閾値温度を超えた場合に、前記記録ヘッドを待機させる待機手段と、
前記記録ヘッドにより記録された記録媒体の累積枚数に係る情報を取得する取得手段と、
前記累積枚数に係る情報に基づいて、前記累積枚数が多いほど前記閾値温度を低い温度に変更する変更手段と、
を備えることを特徴とする記録装置。
【請求項８】
インクを吐出するための熱エネルギを発生するヒーターを有する記録ヘッドを走査させて記録を行う記録方法であって、
前記記録ヘッドの走査前に前記記録ヘッドの温度を検知するステップと、
前記検知された前記温度が閾値温度を超えた場合に、前記記録ヘッドを待機させるステップと、
前記記録ヘッドのヒーターの累積駆動回数に係る情報を取得するステップと、
前記累積駆動回数に係る情報に基づいて、前記累積駆動回数が多いほど前記閾値温度を低い温度に変更するステップと、
を備えることを特徴とする記録方法。
【発明の詳細な説明】
【技術分野】
【０００１】
本発明は、記録ヘッドからインクを吐出して記録媒体への記録を行う記録装置および記録方法に関し、特にインクの吐出により昇温する記録ヘッドの温度制御を行う記録装置および記録方法に関する。
【背景技術】
【０００２】
インクジェット記録装置に搭載する記録ヘッドでは、熱エネルギを利用してインクを吐出するタイプのものがある。このような記録ヘッドでは、インクを輸送するための液路と、当該液路内のインクに膜沸騰を生じさせるための電気熱変換素子（ヒーター）を備えた記録素子を、高密度に複数集積配置させた構成が一般的となっている。
【０００３】
しかしながら、このような形態の記録ヘッドは、吐出を重ねるほどに記録ヘッドの蓄熱が進み、この蓄熱が問題となることがある。このような蓄熱問題は、より高速で高密度な出力を実現しようとするほど、顕著に現れやすくなる。
【０００４】
例えば、記録ヘッドの蓄熱が進むとインク中で気泡が発生し、成長する。そして成長した気泡が吐出口からのインク吐出を妨害する。
【０００５】
また、記録ヘッドの温度は百数十℃にまで到達することがある。その結果、記録ヘッドを構成しているプラスチック部品等が熱変形してしまったり、急激な熱膨張で接着部分が剥がれたり、ヒーター近傍に残っていたインクが焦げてしまうことがある。
【０００６】
さらに、インクとヘッドの構成部材との接液性が温度上昇によって悪化してしまう場合もある。この場合は電極配線を腐食して電気的にダメージを与えたり、ノズルと基板との接着部分に侵食して密着性を低下させたりする。また、ノズル形成部分を変形させてしまう場合もある。結果としてヘッド寿命を低下させてしまう場合も少なくない。
【０００７】
このような蓄熱問題に起因する弊害を回避するために、記録中に記録ヘッドの温度を検出し、検出された温度を所定の閾値と比較することによって、記録方法を制御する方法が知られている。例えば、現時点での検出温度と次の主走査の画像データに基づいて、次の主走査終了後の記録ヘッドの温度を推定し、当該推定温度に従って待機時間を設定する方法が知られている（例えば、特開２００１−１１３６７８号公報参照）。
【先行技術文献】
【特許文献】
【０００８】
【特許文献１】特開２００１−１１３６７８号公報
【発明の概要】
【発明が解決しようとする課題】
【０００９】
しかしながら、このような方法では、待機時間を設けない場合と比較してスループットが著しく低下する。仮に、待機時間を設ける閾値温度を高く設定すれば、待機時間を実行する頻度も低下し、スループット低下を抑制できるが、過昇温によりヘッド故障を招く危険性が増大する。
【００１０】
ところで、これら記録ヘッド故障の現象は、記録ヘッドの構成材料やインク処方、ヘッドの機械的構成など複合的な要因が絡み合って発生させている場合が多い。百数十℃においてヘッド故障に至るケースもあれば、数十℃レベルにおいてもヘッド故障に至るケースも存在する。また、温度による変形など瞬間的にヘッド故障に至るケースもあれば、インク侵食など温度による現象加速が緩やかなケースもある。そのため、過昇温を防止するために主走査間に待機時間を設ける閾値温度は、ヘッド故障に至る現象の中でも一番低い温度で発生する現象を防止するよう設定しておくのが一般的である。この場合、ヘッド故障に至らないよう温度抑制する効果は大きいものの、低いデューティの画像でもわずかにヘッド昇温するだけで待機時間が発生してしまい、スループットが大幅に低下してしまう。
【００１１】
本発明は以上の点に鑑みてなされたものであり、ヘッドの過昇温を抑制するとともにスループット低下をできるだけ低減させることのできる、インクジェット記録装置および記録方法を提供することを目的とする。
【課題を解決するための手段】
【００１２】
上記目的を達成するために本発明は、インクを吐出するための熱エネルギを発生するヒーターを有する記録ヘッドを走査させて記録を行う記録装置であって、前記記録ヘッドの走査前に前記記録ヘッドの温度を検知する検知手段と、前記検知手段により検知された前記温度が閾値温度を超えた場合に、前記記録ヘッドを待機させる待機手段と、前記記録ヘッドのヒーターの累積駆動回数に係る情報を取得する取得手段と、前記累積駆動回数に係る情報に基づいて、前記累積駆動回数が多いほど前記閾値温度を低い温度に変更する変更手段とを備えることを特徴とする。
【発明の効果】
【００１３】
以上の構成によれば、記録ヘッドのヒーターの累積駆動回数が多いほど、閾値温度を低い温度に変更できる。したがって、インク侵食等の影響が少ないと想定される期間では、温度による変形など瞬間的にヘッド故障に至るケースのみを想定して、待機時間を実施する閾値温度を比較的高く設定できる。一方、記録ヘッドの使用履歴が長期に渡っているような場合には、インク侵食等が進行し、ヘッド故障に至る懸念が高まるため、閾値温度を低下させることでインク侵食によるヘッド故障を防止することができる。これにより、ヘッドの過昇温を抑制するとともにスループット低下をできるだけ低減させることができる。
【図面の簡単な説明】
【００１４】
【図１】本発明の第１の実施形態のインクジェット記録装置の構成を示す概略斜視図である。
【図２】本発明の第１の実施形態のインクジェット記録装置の制御系の構成を示すブロック図である。
【図３】本発明の第１の実施形態の画像記録シーケンスを示すフローチャートである。
【図４】本発明の第１の実施形態の累積吐出数と待機制御を開始する閾値温度との関係を示した図である。
【図５】本発明の第１の実施形態における１枚の記録時間とヘッド故障が発生した累積吐出数を示した図である。
【図６】本発明の第２の実施形態の画像記録シーケンスを示すフローチャートである。
【図７】本発明の第２の実施形態における累積吐出数と待機制御を開始する閾値温度との関係を示した図である。
【発明を実施するための形態】
【００１５】
（第１の実施形態）
以下に図面を参照して本発明における実施形態を詳細に説明する。なお、本明細書において、「記録」とは、文字、図形等有意の情報を記録媒体上に形成する場合のみならず、無意の情報を記録媒体上に形成することも含む。また、「記録媒体」とは、一般的な記録装置で用いられる紙のみならず、布、プラスチック・フィルム、金属板、ガラス、セラミックス、木材、皮革等、インクを受容可能なものも表すものとする。さらに、「インク」とは、上記「記録」の定義と同様広く解釈されるべきもので、記録媒体上に付与されることによって、画像、模様、パターン等の形成を表すものとする。
【００１６】
図１は、本実施形態に適用可能なインクジェット記録装置の内部機構を説明するための概略斜視図である。搬送モータ１の駆動により、プラテンローラ２が図の矢印Ｒ方向に回転し、記録媒体Ｍが矢印Ｆ方向に搬送される。記録媒体Ｍの搬送方向Ｆ（副走査方向）と直交する方向には、ガイドシャフト３ａおよび３ｂが平行に配設されている。インクジェット記録ヘッド５を搭載したキャリッジ４（走査手段）は、ガイドシャフト３ａおよび３ｂに案内支持されながら、キャリッジモータ６の駆動によって図中矢印Ｓ方向（主走査方向）に往復移動（往復走査）する。キャリッジ４に搭載された記録ヘッド５は、キャリッジ４の移動走査中に記録データに応じてインクの吐出を実行し、記録媒体への記録が行われる。本実施形態では、記録ヘッド５が往路に沿って移動する場合と、復路に沿って移動する場合のいずれにおいてもインクを吐出して記録媒体に記録を行う、いわゆる双方向記録方式を採る。なお、記録ヘッド５が走査しつつインクを吐出して記録媒体上に記録を行う動作を、以下の説明において記録走査とも言う。記録ヘッド５による１回の記録走査が行われると、記録媒体Ｍは搬送モータ１によって所定量搬送される。
【００１７】
本実施形態で適用するインクジェット記録ヘッド５には、副走査方向に１２００ｄｐｉ（ドット／インチ；参考値）のピッチで、１２８０個の吐出口が配列されている。各吐出口に連通したインク流路（液路）内には、画像データに応じて生成される電気信号を受けて熱を発生する電気熱変換体（発熱素子またはヒーター）が設けられている。この電気熱変換体が、駆動信号を供給されることにより発生する熱エネルギにより、インクは局所的に加熱されて膜沸騰を生じ、その際に生じる圧力によってインク滴が吐出口から吐出される。なお、以下の説明において、インクを吐出する吐出口、これに連通する液路、および液路内に設けられた電気熱変換体をノズル（記録素子）と称す。また、記録ヘッド５において、上記電気熱変換体が設けられた基板上には、記録ヘッド５の温度を検知するヘッド温度検知手段としてのダイオードセンサ５０が設けられている。
【００１８】
図２は、本実施形態におけるインクジェット記録装置の制御系の構成を説明するためのブロック図である。インターフェイス２０は、ホスト装置Ｈとインクジェット記録装置本体側との間で画像データや制御コマンド等のデータ送受信を行う。MPU２１は、種々の演算、判断および設定などの処理を行うと共に、記録装置全体の各種制御をも実行する。このＭＰＵ２１が制御を行うためのプログラムや固定データはＲＯＭ２２に格納されている。DRAM２３は、各種データ（記録ヘッド５に供給すべき記録データ等）を一時的に格納したり、ＭＰＵ２１が行う処理のワークエリアとして利用されたりする。なお、ＭＰＵ２１、ＲＯＭ２２およびＤＲＡＭ２３により、本発明の制御手段、待機制御手段、閾値温度低下手段および待機時間設定手段を構成している。
【００１９】
ゲートアレイ２４は、記録ヘッド５に対する記録データの供給制御を行う。また、このゲートアレイ２４は、インターフェイス２０、ＭＰＵ２１、ＤＲＡＭ２３間のデータ転送の制御も行う。モータドライバ２５および２６は、キャリッジモータ６および搬送モータ１をそれぞれ駆動している。また、ヘッドドライバ２７は記録ヘッド５を駆動している。また、記録ヘッド５の温度を検出するダイオードセンサ５０からの出力データ（温度値）はＭＰＵ２１へ送られるようになっている。
【００２０】
以上説明した記録装置を用いて、本実施形態の記録を実行する場合のシーケンスを具体的に説明する。
【００２１】
図３は、本実施形態の記録装置において、１ページ分の画像を記録する際にＭＰＵ２１が実行する一連の工程を説明するためのフローチャートである。記録が開始されると（ステップＳ３０１）、ホスト装置Ｈからは制御データを含む画像データがインターフェイス２０およびゲートアレイ２４を介してＭＰＵ２１に入力される。
【００２２】
次に、使用履歴に係る情報に基づいて閾値温度設定手段により閾値温度を決定する。まず、ＭＰＵ２１がＤＲＡＭ２３に格納されている使用履歴計測手段により計測された記録ヘッドの累積吐出数（以下、ヘッドドットカウント値ＤＨとも称する。）を読み込む。なお記録ヘッドの吐出数および累積吐出数は、記録ヘッドのヒーターの駆動回数および累積駆動回数に対応する。そして、予めＲＯＭ２２に格納されている所定の累積吐出数（以下、ドットカウント閾値ＤＴＨ１とも称する。）と比較する（ステップＳ３０２）。ここで、ヘッドドットカウント値ＤＨがドットカウント閾値ＤＴＨ１より少ない場合には、ステップＳ３０４に進み、待機制御を実施する閾値温度ＩをＤＲＡＭ２３に設定する。一方、ヘッドドットカウント値ＤＨがドットカウント閾値ＤＴＨ１を超えている場合には、ステップＳ３０３においてヘッドドットカウント値ＤＨと予めＲＯＭ２２に格納されている所定の累積吐出数（以下、ドットカウント閾値ＤＴＨ２とも称する。）を比較する。この際、ヘッドドットカウント値ＤＨがドットカウント閾値ＤＴＨ２より少ない場合には閾値温度IIをＤＲＡＭ２３に設定する（ステップＳ３０５）。一方、ドットカウント閾値ＤＴＨ２より多い場合には閾値温度IIIをＤＲＡＭ２３に設定する（ステップＳ０６）。この一連の動作により、閾値温度が設定される。
【００２３】
閾値温度の設定が終了すると、主走査が開始され（ステップＳ３０７）、画像の記録が開始される。この際、ＭＰＵ２１は１回（前回）の主走査における記録ヘッド５の最高到達温度（以下、ヘッド最高温度ＴＨとも称する。）をダイオードセンサ５０から検知温度として取得する（ステップＳ３０８）。すなわちＭＰＵ２１は、次（今回）の主走査前に、ヘッド最高温度ＴＨを取得する。そして、ステップＳ３０４〜Ｓ３０６においてＤＲＡＭ２３に設定した閾値温度（以下、ウエイト実施温度ＴＷとも称する。）と比較する（ステップＳ３０９）。ヘッド最高温度ＴＨがウエイト実施温度ＴＷよりも高いと判断された場合には、ＭＰＵ２１が一回（前回）の記録走査と次（今回）の記録走査の間に、すなわち次（今回）の記録走査の前に、ウエイト時間設定手段により設定された所定のウエイト時間分のウエイトを実施する（ステップS３１０）。このウエイト時間は、ヘッドドットカウント値ＤＨに基づいて予め定められている。すなわち、本実施形態では、ヘッドドットカウント値ＤＨが多ければ、ウエイト時間は延びる。そして、１ページ分の全ての画像データの記録が完了すると（ステップＳ３１１）、使用履歴を計測するために、１ページ分の総吐出数をＤＲＡＭ２３に格納されているヘッドドットカウント値ＤＨに加算する（ステップＳ３１２）。そして、記録動作を終了する（ステップＳ３１３）。
【００２４】
図４は、本実施形態において設定される待機制御の閾値温度と、記録ヘッドの累積吐出数との関係を示したグラフである。本実施形態において、記録ヘッドの累積吐出数が２×１０8発付近までは記録ヘッドの構成部材とインクとの接液性が良好でインク侵食などの影響を考慮する必要がない。このため、待機制御を開始する閾値温度を瞬間的にヘッド故障に至るケースのみを想定して８０℃（閾値温度Ｉ）と高めに設定している。そして、記録ヘッドの累積吐出数が２×１０8発付近からは、記録ヘッドが高温状態で長期間保持されることでインク侵食が進み、ヘッド故障に至る危険性が高まる。従って、待機制御を開始する閾値温度を段階的に低下させ、３×１０8発までは７０℃（閾値温度II）、それ以降は６０℃（閾値温度III）とすることで、ヘッドの過昇温を抑制し、インク侵食の進行を抑える効果を得ることができる。
【００２５】
また、図４には、従来例としてヘッドの使用履歴に関わらず待機制御を開始する閾値温度を常に８０℃とした場合（従来例１）と、常に６０℃とした場合（従来例２）の閾値温度と記録ヘッドの累積吐出数との関係をグラフに示している。閾値温度を常に８０℃とした場合では、瞬間的にヘッド故障に至るケースは防止でき、且つスループット低下も抑制できるものの、インク侵食など記録ヘッドの使用履歴によって現象が進行していくようなヘッド故障を防止することは難しい。また、閾値温度を常に６０℃とした場合では、インク侵食など記録ヘッドの使用履歴によって現象が進行していき、ヘッド故障に至るようなケースを防止できるものの、わずかなヘッド昇温でも主走査間に待機時間を設けてしまうため、スループット低下が著しい。
【００２６】
図５は、Ａ０サイズで５０％の記録デューティの画像を、４パスのマルチパス記録方法で記録した場合の１枚の記録時間と、ヘッド故障が発生した時点の記録ヘッドの累積吐出数を示した表である。図４で示したように閾値温度を段階的に低下させる制御を実施した場合と、従来例としてヘッドの使用履歴に関わらず待機制御を開始する閾値温度を常に８０℃とした場合（従来例１）と、常に６０℃とした場合（従来例２）の結果も併記している。
【００２７】
図５において、本実施形態の閾値温度制御を実施した場合では、記録ヘッドの累積吐出数が２×１０8発付近までは閾値温度を８０℃に設定されているため、従来例１と同様に１枚の記録時間は４分９秒であった。一方で、従来例２では閾値温度が６０℃に設定されているためスループットが低下しており、１枚の記録時間は５分１１秒であった。記録ヘッドの累積吐出数が増えてくると、本実施形態の閾値温度制御により閾値温度は段階的に下がるため、記録ヘッドの累積吐出数が３×１０8発以降では閾値温度は６０℃に設定される。この場合の１枚の記録時間は従来例２と同じく５分１１秒であった。一方で、従来例１では閾値温度が常に８０℃に設定されているため、記録ヘッドの累積吐出数が少ない場合と同様、４分９秒という結果であった。
【００２８】
これらの制御を実施した場合、従来例１では記録ヘッドの累積吐出数が３.５×１０8発付近でヘッド故障が発生してしまった。一方、従来例２では記録ヘッドの累積吐出数が５×１０8発付近までヘッド故障が発生せず、その後５.２×１０8発付近でヘッド故障に至った。これに対し、本実施形態の閾値温度制御により閾値温度を段階的に低下させた場合は、インク侵食等の進行が抑制されるため、５×１０8発付近でヘッド故障が発生した。
【００２９】
以上説明したように、本実施形態では、記録ヘッドの使用履歴がまだ短期間であって、インク侵食等の影響が少ないと想定される期間では閾値温度を高めに設定してスループット低下を防止でき、高速記録を達成することができる。また、ヘッドの使用履歴が長期に渡り、記録ヘッドが高温状態で長期間保持されることでインク侵食等が進み、ヘッド故障に至る危険性が高まるような期間では、閾値温度を段階的に低下させてヘッド温度を抑制し、ヘッド故障を回避する能力を高めることができる。これにより、スループットの低下をできるだけ避けることができるだけでなく、ヘッド故障の防止をも両立してヘッドの高寿命化を達成することができる。
【００３０】
なお、本実施形態においては、記録ヘッドの使用履歴を記録ヘッドの累積吐出数から推定するようにしている。しかし、本発明は、その他の情報に基づいて記録ヘッドの使用履歴を推定し、閾値温度を段階的に低下させてもよい。例えば、記録ヘッドの交換を検知する交換検知手段（例えば、記録ヘッドとキャリッジとの電気的接続を検知する手段）、記録ヘッドが交換されてからの時間を計測するタイマーを設け、記録ヘッドが交換ないし装着されてからの累積使用時間ないし累積時間に基づいて、閾値温度を設定してもよい。または、記録された記録媒体の累積枚数に基づいて閾値温度を設定してもよい。また、これらの使用履歴に関する情報は、上記の交換検知手段が記録ヘッドの交換を検知したタイミングで、リセットされるように構成される。
【００３１】
また、本実施形態においては、検知したヘッド温度が閾値温度を超えた場合に、ウェイト時間を設定している。このような形態においては、ヘッド温度が所定の温度を下回った時点で記録が開始されるように、検知したヘッド温度（具体的には前回の主走査時に検知したヘッド最高温度ＴＨ）が高いほどウェイト時間が長く設定される。さらには、記録装置の環境温度を検知する手段を設け、環境温度が高いほど、待機時間を長く設定するようにしてもよい。また、単に、記録ヘッド温度によらず所定時間だけ記録ヘッドの記録を待機させるようにすることも可能である。また、検出されるヘッド温度は、前回の記録走査中の最高到達温度に限られず、前回の記録走査と今回の記録走査との間で検出される温度であってもよい。
【００３２】
なお、本実施形態において、閾値温度の変更を８０℃から６０℃の３段階に変更する制御としたが、記録ヘッドの構成やインク処方などの状況に応じて最適な温度および段階数を選択すればよい。より多くの多段階制御としたり、より温度を大幅に低下させたりして、ヘッド故障が防止できるような温度抑制制御とすればよい。
【００３３】
また、本実施形態では、待機制御を開始する閾値温度のみ変更する制御について説明したが、閾値温度を低下させるのと同時に待機時間が長くなるように制御することで、より温度抑制効果が高まるような形態であってもよい。
【００３４】
以上説明したように、記録ヘッドの使用履歴が短期間で、インク侵食等の影響が少ないと想定される期間では、温度による変形など瞬間的にヘッド故障に至るケースのみを想定して待機時間を実施する閾値温度を設定できる。また、記録ヘッドの使用履歴が長期に渡っているような場合には、インク侵食等が進行し、ヘッド故障に至る懸念が高まるため、段階的に閾値温度を低下させることでインク侵食によるヘッド故障を防止する効果が得られる。これにより、ヘッド故障に至る現象が百数十℃程度にならないと発生しないような期間では閾値温度を高めに設定してスループット低下を防止でき、高速記録を行うことができる。一方、ヘッドの使用期間が長期に渡り、ヘッド故障に至る現象が数十℃レベルで発生しやすくなる期間では閾値温度を段階的に低下させてヘッド温度を抑制し、ヘッド故障を回避する能力を高めることができる。
【００３５】
更に、前記使用履歴の計測を、記録ヘッドの温度に応じた使用履歴の計測や、記録デューティに応じた使用履歴の計測とすることで、インク侵食等の影響がどの程度及んでいるかをより正確に把握することができる。このため、閾値温度を低下させるタイミングを最適化でき、個々の使用状態に応じたフレキシブルな制御が可能となる。
【００３６】
（第２の実施形態）
第１の実施形態では、記録ヘッドの温度にかかわらず記録ヘッドの累積吐出数（ヘッドドットカウント値ＤＨ）をカウントし、そのカウント数に応じて閾値温度を変更するものであった。本実施形態では、記録ヘッドが所定の温度以上の状態で吐出された吐出数をカウントし、そのカウント数に応じて閾値温度を低下させる制御を行うものである。
【００３７】
図６は、本実施形態の記録装置において、１ページ分の画像を記録する際にＭＰＵ２１が実行する一連の工程を説明するためのフローチャートである。記録が開始されると（ステップＳ６０１）、ホスト装置Ｈからは制御データを含む画像データがインターフェイス２０およびゲートアレイ２４を介してＭＰＵ２１に入力される。
【００３８】
次に、ＭＰＵ２１がＤＲＡＭ２３に格納されている使用履歴計測手段により計測された記録ヘッドの一定以上の温度の累積吐出数（以下、ヘッドドットカウント値ＤＨ２とも称する。）を読み込む。そして、予めＲＯＭ２２に格納されている所定の累積吐出数（以下、ドットカウント閾値ＤＴＨ１とも称する。）と比較する（ステップＳ６０２）。ここで、ヘッドドットカウント値ＤＨ２がドットカウント閾値ＤＴＨ１より少ない場合には、ステップＳ６０４に進み、待機制御を実施する閾値温度ＩをＤＲＡＭ２３に設定する。一方、ヘッドドットカウント値ＤＨ２がドットカウント閾値ＤＴＨ１を超えている場合には、ステップＳ６０３においてヘッドドットカウント値ＤＨ２と予めＲＯＭ２２に格納されている所定の累積吐出数（以下、ドットカウント閾値ＤＴＨ２とも称する。）を比較する。この際、ヘッドドットカウント値DH２がドットカウント閾値ＤＴＨ２より少ない場合には閾値温度IIをＤＲＡＭ２３に設定する（ステップＳ６０５）。一方、ドットカウント閾値ＤＴＨ２より多い場合には閾値温度IIIをＤＲＡＭ２３に設定する（ステップＳ６０６）。
【００３９】
閾値温度の設定が終了すると、主走査が開始され（ステップＳ６０７）、画像の記録が開始される。この際、ＭＰＵ２１は１回（前回）の主走査における記録ヘッド５の最高到達温度（以下、ヘッド最高温度ＴＨとも称する。）をダイオードセンサ５０から検知温度として取得する（ステップＳ６０８）。すなわちＭＰＵ２１は、次（今回）の主走査前に、ヘッド最高温度ＴＨを取得する。そして、取得したヘッド最高温度ＴＨを、予めROM２２に格納されている所定の温度（以下、ドットカウント温度ＴＣとも称する。）と比較する（ステップＳ６０９）。本実施形態においてドットカウント温度ＴＣは６０℃である。ヘッド最高温度ＴＨがドットカウント温度ＴＣ以上と判断された場合には、ＤＲＡＭ２３に設定した閾値温度（以下、ウエイト実施温度ＴＷとも称する。）とヘッド最高温度ＴＨを比較する（ステップＳ６１０）。ヘッド最高温度ＴＨがウエイト実施温度ＴＷよりも高いと判断された場合には、ＭＰＵ２１が次の主走査が行われる前に所定のウエイト時間を設定およびその所定時間分のウエイトを実施する（ステップS６１１）。そして、ヘッド最高温度ＴＨがドットカウント温度ＴＣ以上のときに吐出された吐出数をＤＲＡＭ２３に格納されているヘッドドットカウント値DH２に加算する（ステップＳ６１２）。そして、１ページ分の全ての画像データの記録が完了すると（ステップＳ６１３）、記録動作を終了する（ステップＳ６１４）。
【００４０】
図７は、本実施形態において平均１０％、平均２０％、平均３０％デューティの画像をそれぞれ記録しつづけていく場合の、記録ヘッドの累積吐出数と待機制御を開始する閾値温度との関係を示した図である。本実施形態においては、記録ヘッドがドットカウント温度ＴＣ（６０℃）以上の状態で吐出された吐出数をカウントし、そのカウント数が０．７×１０8発までは閾値温度を８０℃とする。また、カウント数が０．７×１０8発から１×１０8発までは閾値温度を７０℃とする。さらに、カウント数が1×１０8発以降は閾値温度を６０℃とする制御とした。この場合、平均３０％デューティの画像を記録しつづけると、ヘッド温度が６０℃以上となる頻度が比較的高く、累積吐出数が１×１０8発の時点でカウント数が０．７×１０8発に到達した。従って、累積吐出数が１×１０8発の時点で閾値温度を８０℃から７０℃に変更し、同様に累積吐出数が１.５×１０8発の時点でカウント数が１.０×１０8発に到達したため、閾値温度を７０℃から６０℃に変更する制御とした。平均２０％デューティの画像を記録しつづけた場合には、累積吐出数が２×１０8発、３×１０8発の時点でそれぞれカウント数が０．７×１０8発、１×１０8発に到達したため、閾値温度を８０℃から７０℃、および７０℃から６０℃に変更する制御とした。すなわち、所定領域の記録デューティと、その記録デューティにおいて印加される駆動信号の数とを関連づけて計測している。
【００４１】
また、平均１０％デューティの画像を記録しつづけた場合には、ヘッド温度が６０℃以上となる頻度が低く、累積吐出数が４×１０8発になるまでカウント数が０．７×１０8発に到達しなかった。このため、累積吐出数が４×１０8発の時点で閾値温度を７０℃に変更する制御とした。
【００４２】
なお、本実施形態では、ドットカウント温度ＴＣは、閾値温度IIIよりも小さいまたは同じであったが、本発明はこのような関係の数値に限定されるものではない。すなわち、ドットカウント温度ＴＣが閾値Ｉ、IIおよびIIIよりも大きい数値であってもよく、閾値温度とドットカウント温度の関係が無関係なものであってもよい。
【００４３】
すなわち本発明は、インクとヘッド構成部材との接液性が悪化しやすい高温領域にて記録ヘッドから吐出を行う場合にのみ吐出数をカウントする。そして、そのカウント数に応じて閾値温度変更を実施することで、累積吐出数に依らず、個々の記録ヘッドのインク侵食などの進行状態に合わせた最適なタイミングで、待機制御を変更できる。例えば平均３０％デューティの画像を記録しつづけた場合には、記録ヘッドが高温状態で保持される頻度が高く、インク侵食等の進行を加速してヘッド故障に至る危険性が高まる。従って本実施形態では、累積吐出数が１×１０8発から、待機制御を開始する閾値温度を低下させる制御とし、ヘッド温度を抑制するタイミングを早めている。一方で平均１０％デューティの画像を記録しつづけた場合には、記録ヘッドが昇温する頻度が低く、インク侵食等は加速されない。従って、本実施形態では、累積吐出数が４×１０8発となるまで、待機制御を開始する閾値温度を低下しない制御とし、長期に渡りスループットが低下しないようタイミングを遅めている。このように、記録ヘッドの温度に応じた使用履歴を計測することで、インク侵食等の影響がどの程度及んでいるかをより正確に把握することができる。このため、閾値温度を低下させるタイミングを最適化でき、個々の使用状態に応じたフレキシブルな制御が可能となる。
【００４４】
なお、本実施形態では、記録ヘッドが所定の温度以上の状態で吐出された吐出数をカウントし、そのカウント数に応じて閾値温度を低下させる制御とした。しかしながら本発明は、記録ヘッドの温度により吐出数のカウントの有無を判断するものでなくてもよい。例えば、所定領域の記録デューティを判別し、所定の記録デューティ以上で吐出された吐出数をカウントしたり、記録ヘッド温度が所定の温度以上で経過する時間をカウントするものであってもよい。また、記録ヘッドの温度に応じた使用履歴を計測し、個々の使用履歴を正確に把握することで、最適なタイミングにて閾値温度制御を実行するものであってもよい。
【００４５】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４６】
５  記録ヘッド
５０  ダイオードセンサ
ＴＨ  ヘッド最高温度
ＴＷ  ウエイト実施温度
ＴＣ  ドットカウント温度
ＤＨ  ヘッドドットカウント値
【図１】
2010162888.tif 000003
【図２】
2010162888.tif 000004
【図３】
2010162888.tif 000005
【図４】
2010162888.tif 000006
【図５】
2010162888.tif 000007
【図６】
2010162888.tif 000008
【図７】
2010162888.tif 000009